(57)【特許請求の範囲】
【請求項１】
被入力情報を出力するタッチパネルと、
前記タッチパネルから出力される前記被入力情報の入力を行うタッチパネル用ペンと、前記タッチパネル用ペンを保持するタッチパネル用ペンホルダーと、
前記タッチパネル用ペンホルダーに配され、前記タッチパネル用ペンの存否を検出するタッチパネル用ペン検出部と、
画面表示を行う表示部と、
該タッチパネル用ペン検出部の検出結果と前記タッチパネルから出力される前記被入力情報に基づいて、前記表示部の画面表示を制御する制御装置と、を有し、
前記制御装置は、前記被入力情報に基づく検索処理を行うための検索ボタンが前記表示部に画面表示されている場合に、前記タッチパネルが前記被入力情報を出力し、前記タッチパネル用ペン検出部が、前記タッチパネル用ペンホルダーに前記タッチパネル用ペンが存在しない状態から存在する状態への変化を検出した場合には前記検索処理を行うとともに、前記検索処理の結果に基づいて前記表示部の画面表示を制御することを特徴とする入力処理装置。
【請求項２】
前記制御装置は、前記タッチパネルが前記被入力情報を出力しておらず、前記タッチパネル用ペン検出部が、前記タッチパネル用ペンホルダーに前記タッチパネル用ペンが存在しない状態から存在する状態への変化を検出した場合には前記検索処理を行わないことを特徴とする請求項１に記載の入力処理装置。
【発明の詳細な説明】
【技術分野】
【０００１】
本発明は、例えば、車載されたタッチパネルとタッチパネル用ペンとからなる入力デバイスを用いて、効率的に検索コマンドを実行することが可能な入力処理装置に関する。
【背景技術】
【０００２】
携帯電話機やＰＤＡなどの携帯型情報端末装置、或いはカーナビゲーション装置では、パーソナルコンピュータ（ＰＣ）のようなキーボードやマウスなどの入力装置が備わっていないものが多く、テンキーや十字キー（カーソル移動キー）等の限られた入力手段を利用して文字入力を行わなければならない。
【０００３】
そこで、このように限られた入力キーが限られた装置においては、なるべく少ない入力キー操作で所望の処理を開始できるようにして、使用者の入力操作の簡易化を図る技術が種々提案されている。
【０００４】
例えば、特許文献１（特開２００１−３３３１７４号公報）には、「０」から「９」までの番号がそれぞれ付された１０個の入力キーと「＊」（アスタリスク）および「＃」（シャープ）の符号がそれぞれ付された２個の入力キーを備え、これら１２個の入力キーを予め定められた配列に配置し、上記１２個の入力キーの少なくとも一部はそれぞれに選択項目が一つずつ割り当てられ、制御手段が表示画面に選択項目が割り当てられた入力キーの配列に対応した配列で入力キーに割り当てられた選択項目を少なくとも一つ表示するよう構成した携帯端末装置が記載されている。
【特許文献１】特開２００１−３３３１７４号公報
【発明の開示】
【発明が解決しようとする課題】
【０００５】
ここで、タッチパネルとタッチパネル用ペンとからなる入力デバイスを右ハンドルの車輌に車載し、当該入力デバイスで車載情報処理装置に対して文字入力などを行おうとした場合について検討してみる。
【０００６】
通常、車載情報処理装置の表示パネルはステアリングの左側に配置される。タッチパネルとタッチパネル用ペンとからなる入力デバイスは右利きの人が多いことから、ステアリングの右側に配置されることが考えられる。
【０００７】
このような配置関係にあるとき、右側に配置される入力デバイスで文字などを入力した後、車載情報処理装置の表示パネルの検索ボタン（検索コマンド実行用ＧＵＩ）を操作しようとするためには、体勢を右向きから左向きに移動させる必要があり、操作が煩雑である、という問題が発生することとなる。
【課題を解決するための手段】
【０００８】
上記問題点を解決するために、請求項１に係る発明は、被入力情報を出力するタッチパネルと、前記タッチパネルから出力される前記被入力情報の入力を行うタッチパネル用ペンと、前記タッチパネル用ペンを保持するタッチパネル用ペンホルダーと、前記タッチパネル用ペンホルダーに配され、前記タッチパネル用ペンの存否を検出するタッチパネル用ペン検出部と、画面表示を行う表示部と、該タッチパネル用ペン検出部の検出結果と前記タッチパネルから出力される前記被入力情報に基づいて、前記表示部の画面表示を制御する制御装置と、を有し、前記制御装置は、前記被入力情報に基づく検索処理を行うための検索ボタンが前記表示部に画面表示されている場合に、前記タッチパネルが前記被入力情報を出力し、前記タッチパネル用ペン検出部が、前記タッチパネル用ペンホルダーに前記タッチパネル用ペンが存在しない状態から存在する状態への変化を検出した場合には前記検索処理を行うとともに、前記検索処理の結果に基づいて前記表示部の画面表示を制御することを特徴とする入力処理装置である。
【０００９】
また、請求項２に係る発明は、請求項１に記載の入力処理装置において、前記制御装置は、前記タッチパネルが前記被入力情報を出力しておらず、前記タッチパネル用ペン検出部が、前記タッチパネル用ペンホルダーに前記タッチパネル用ペンが存在しない状態から存在する状態への変化を検出した場合には前記検索処理を行わないことを特徴とする。
【発明の効果】
【００１３】
本発明の請求項１乃至５に係る入力処理装置によれば、入力部材存否検出部の検出結果と前記被入力部材から出力される前記被入力情報に基づいて表示部の画面表示を制御するので−すなわち、タッチパネル用ペン検出部が、タッチパネル用ペンの存否に基づいて、例えば、検索を実行するように制御するので−ユーザーは体勢を入れ替えて検索ボタンを押下する必要が無く、入力操作が簡便となる。
【発明を実施するための最良の形態】
【００１４】
本発明の実施の形態を図面を参照しつつ説明する。図１は本発明の実施の形態に係る入力処理装置が搭載された車輌の運転席周辺の様子を示す図であり、図２は本発明の実施の形態に係る入力処理装置のブロック構成の概略を示す図である。なお、本実施形態では、車輌に搭載される入力処理装置としては、カーナビゲーション装置を例としているが、本発明はその他の装置にも適用し得る可能性を有している。
【００１５】
図１及び図２において、１００は入力処理装置、１０１はＣＰＵ、１０２はバス、１０３はＲＯＭ、１０４はＲＡＭ、１０６は入力回路、１１１はコンソール部タッチパネル、１１２はステアリング部タッチパネル、１１３はタッチパネル用ペン検出部、１１４は表示制御回路、１１５はディスプレイ、１１６は通信制御回路、１２０はタッチパネル用ペンホルダー、１２１はタッチパネル用ペンをそれぞれ示している。
【００１６】
図１は入力処理装置１００が搭載されるコンソール部、運転席周辺を示している。図１に示すように、ステアリングの左側には入力処理装置１００のディスプレイ１１５が、また、ステアリングの中央部にはステアリング部タッチパネル１１２が、また、ステアリングの右側には不使用時にタッチパネル用ペン１２１を保持しておくタッチパネル用ペンホルダー１２０がそれぞれ配置されている。
【００１７】
ディスプレイ１１５に重なるようにして、略透明に構成されるコンソール部タッチパネル１１１が設けられており、ステアリングの左側の表示部は、表示機能と、入力機能とを兼ね備えるものとして構成されている。
【００１８】
また、ステアリング部タッチパネル１１２は、タッチパネル用ペン１２１にて手書きの文字を入力するようになっており、ＣＰＵ１０１などの情報処理部が手書き文字を認識できるようになっている。タッチパネル用ペン１２１は、ステアリング部タッチパネル１１２を先端部で押圧し入力を行うことができるようになっている。
【００１９】
タッチパネル用ペンホルダー１２０には、タッチパネル用ペン１２１が装着された状態であるか、離脱した状態であるかを検出可能なタッチパネル用ペン検出部１１３が設けられている。このタッチパネル用ペン検出部１１３の機構は、光学的なものでも機械的なもののいずれでも構成することが可能である。
【００２０】
なお、特許請求の範囲においては、ステアリング部タッチパネル１１２を「被入力部材」、タッチパネル用ペン１２１を「入力部材」、タッチパネル用ペンホルダー１２０を「入力部材保持部材」、タッチパネル用ペン検出部１１３を「入力部材存否検出部」とそれぞれ表現している。
【００２１】
図２は図１に示した入力処理装置１００の回路構成の概要を表わしたものである。移動体通信端末１００は、ＣＰＵ（中央処理装置）１０１を搭載している。ＣＰＵ１０１はバス１０２を通じて装置内の各部と接続されている。このうちＲＯＭ１０３はこの移動体通信端末１００の各部を制御するためのプログラムを格納したリード・オンリ・メモリである。ＲＡＭ１０４はプログラムを実行するときに必要となる一時的なデータおよび画像等を含んだ通信データを一時的に格納するランダム・アクセス・メモリである。
【００２２】
なお、特許請求の範囲でいう「制御装置」には、ＣＰＵ（中央処理装置）１０１を中心とした本発明の処理装置の制御に必要な構成全般を含んでいる。
【００２３】
入力操作部１０５はコンソール部に設けられるコンソール部タッチパネル１１１と、ステアリングに設けられるステアリング部タッチパネル１１２とから構成されている。入力操作部１０５の操作により発生した信号は入力回路１０６を介してバス１０２に伝達されるようになっている。表示制御回路１１４は、前記したディスプレイ１１５の表示を制御するようになっている。通信制御回路１１６は、不図示の無線基地局と無線で通信を行うになっている。
【００２４】
図３は本発明の実施の形態に係る入力処理装置１００のディスプレイ１１５の表示例を示す図である。近年、例えば、カーナビゲーション装置などは、本体内にブラウザ機能（ＷＷＷブラウザ機能）を搭載して操作キーの操作によりインターネットに接続して所望のＷｅｂページ（ホームページ、Ｗｅｂコンテンツ）を検索できるように形成されている。
【００２５】
図３はこのような入力処理装置１００のディスプレイ１１５を示す正面図である。本発明の入力処理装置１００を採用したカーナビゲーション装置を用いてインターネットに接続する場合、通信キャリア会社等が提供する通信回線を介してインターネットに接続される。
【００２６】
ユーザーは、表示させたい情報のアドレス（ＵＲＬ：Ｕｎｉｆｏｒｍ  Ｒｅｓｏｕｒｃｅ  Ｌｏｃａｔｏｒ）をテンキー（不図示）により入力したり、十字キー（不図示）でリンク先のＵＲＬ情報が埋め込まれた箇所を選択したりして入力して通信キャリア会社に送信することで、所望のページデータ（Ｗｅｂページ）を得ることができる。なお、本明細書では、カーソルとは、ＧＵＩ上の表示においては、選択候補項目の位置を示すものとして定義する。また、テキスト入力欄における表示においては、次に入力される文字がどこに追加されるかを示すものとして定義する。
【００２７】
また、ユーザーの入力操作によるＵＲＬの指定で、通信制御回路１１６が取得するページデータは、ＨＴＭＬ（ハイパーテキストマークアップランゲージ）などで記述されている。このようなページデータは、ＲＯＭ１０３に予め記憶されるプログラムに基づいてＣＰＵ１０１が解読し、これに基づいて表示制御回路１１４を駆動し、ＵＲＬで指定されたページの情報をディスプレイ１１５上に表示することができるように構成されている。
【００２８】
図３は検索用のＷｅｂページをディスプレイ１１５に表示させている状態を示している。このような検索用のＷｅｂページでは、検索のためのキーワードを入力可能なテキスト入力欄と、検索ボタン（押下することにより、検索実行コマンドが発効される）が配されている。なお、この検索ボタンのことを、特許請求の範囲においては「オブジェクト」として表現している。また、特許請求の範囲において「前記制御装置は、前記被入力情報に基づく制御処理を行うためのオブジェクトが前記表示部に画面表示されている場合に、前記被入力部材が前記被入力情報を出力し、」と記載されている箇所の「出力し」との表現は、「出力しつつ」との状態及び「出力した（直）後」の状態の両方を含むものである。
【００２９】
図１に示すようなレイアウトの入力処理装置１００において、先のような検索用のＷｅｂページを用いて検索することを考えると、ユーザーはまずタッチパネル用ペンホルダー１２０からタッチパネル用ペン１２１を取り出して、ステアリング部タッチパネル１１２で検索用のキーワードを入力する。そして、次に、ステアリングの左側のディスプレイ１１５に表示されている検索用ボタンを押下することとなる。
【００３０】
しかしながら、以上のような入力処理装置１００に対する入力動作では、体勢を右向きから左向きに移動させる必要があり、操作が煩雑である、という問題が発生することとなるわけである。
【００３１】
そこで、タッチパネル用ペン１２１で、ステアリング部タッチパネル１１２に検索用のキーワードを入力した後に、ユーザーがタッチパネル用ペンホルダー１２０をタッチパネル用ペン１２１に戻す動作を行うと、検索コマンドを実行するように制御するものである。なお、検索コマンドの実行は、ＧＵＩ上で表示されている検索ボタンの押下と同じものとする。以上のような動作をさせるために、より具体的には、本実施形態においては、タッチパネル用ペン検出部１１３が、タッチパネル用ペンが１２１存在しない状態から存在する状態への変化を検出したときには、検索を実行する。このため、本実施形態の入力処理装置１００によれば、体勢を入れ替えて検索ボタンを押下する必要が無く、入力操作が簡便となる。
【００３２】
次に、以上のような入力処理装置１００の処理フローについてより詳細に説明する。なお、以下の説明における前提として、図３に示すような検索用のＷｅｂページをディスプレイ１１５に表示させるためには、ユーザーがＵＲＬを指定することによって、通信制御回路１１６がＨＴＭＬで記述されているページデータを取得しするものとする。また、入力処理装置１００は、ＨＴＭＬで記述されているページデータを解析し、ページデータ中のテキスト入力欄の存否や検索ボタンの存否を判定することができるものとする。テキスト入力欄の存否のための判定は、ページデータの中に、テキスト入力欄のための記述である
<input type="text"   name="   " value="  " size="  " class="  ">
などが存在するか否かによって判定することが可能である。また、検索ボタンの存否は、ページデータ中に「検索」や「ｓｕｂｍｉｔ」といった文字列があるか否か、などで判定することなどもできる。このような判定はＲＯＭ１０３にプログラムを格納しておき、ＣＰＵ１０１を動作させること実現することができる。
【００３３】
以下、本実施形態に係る入力処理装置の処理について説明する。図４は本発明の実施の形態に係る入力処理装置の処理のためのメインルーチンのフローチャートを示す図であり、図５乃至図７は本発明の実施の形態に係る入力処理装置の処理ためのサブルーチンのフローチャートを示す図である。なお、ここで示す入力処理装置の処理ルーチンは、その他の制御処理のサブルーチンの一部として考えることができるものである。
【００３４】
図４において、ステップＳ１００で処理が開始されると、次にステップＳ１０１に進み、入力起動処理のサブルーチンを実行する。次に、サブルーチンからリターンすると、ステップＳ１０２に進み、入力処理のサブルーチンが実行される。再び、サブルーチンから戻ると、次にステップＳ１０３で、入力完了処理のサブルーチンが実行され、ステップＳ１０４に進み、処理を終了する。
【００３５】
次に、ステップＳ１０１の入力起動処理のサブルーチン、ステップＳ１０２の入力処理のサブルーチン、ステップＳ１０３の入力完了処理のサブルーチンについてそれぞれ説明する。
【００３６】
図５は入力起動処理のサブルーチンのフローチャートを示している。図５において、ステップＳ２００で入力起動処理のサブルーチンが開始されると、続いてステップＳ２０１に進み、タッチパネル用ペン検出部１１３における検出によって、タッチパネル用ペン１２１が離脱されたか否かが判定される。ステップＳ２０１における判定結果がＹＥＳであるときにはステップＳ２０２に進み、ステップＳ２０１における判定結果がＮＯであるときにはステップＳ２０３に進む。
【００３７】
ステップＳ２０２では、タッチパネル用ペン利用中フラグのフラグをＯＮに設定し、ステップＳ２０３では、タッチパネル用ペン利用中フラグＯＦＦに設定する。なお、タッチパネル用ペン利用中フラグは、タッチパネル用ペン１２１がユーザーによって利用されている状態か否かと連動しているフラグである。ステップＳ２０４ではリターンし、メインルーチンに戻る。
【００３８】
次に入力処理のサブルーチンについて説明する。図６は入力処理のサブルーチンのフローチャートを示している。図６において、ステップＳ３００で入力起動処理のサブルーチンが開始されると、続いて、ステップＳ３０１に進み、タッチパネル用ペン利用中フラグがＯＮであるか否かが判定される。ステップＳ３０１における判定の結果がＹＥＳであれば、ステップＳ３０２に進む。ステップＳ３０１における判定の結果がＮＯであれば、ステップＳ３０５に進み、リターンする。
【００３９】
ステップＳ３０２では、ページデータ中にテキスト入力欄を記述する構文が存在するか否かが判定される。ステップＳ３０２における判定結果がＹＥＳであればステップＳ３０３に進み、ステップＳ３０２における判定結果がＮＯであればステップＳ３０５に進み、リターンする。
【００４０】
ステップＳ３０３では、ステアリング部タッチパネル１１２で入力された文字を認識し、続いてステップＳ３０４では、ステップＳ３０３で認識された文字をテキスト入力欄に表示する。ステップＳ３０５に進み、リターンする。
【００４１】
次に入力完了処理のサブルーチンについて説明する。図７は入力完了処理のサブルーチンのフローチャートを示している。図７において、ステップＳ４００で入力完了処理のサブルーチンが開始されると、続いてステップＳ４０１に進み、タッチパネル用ペン利用中フラグがＯＮであるか否かが判定される。ステップＳ４０１の判定結果がＹＥＳであればステップＳ４０２に進み、ステップＳ４０１の判定結果がＮＯであればステップＳ４０７に進み、リターンする。
【００４２】
ステップＳ４０２では、タッチパネル用ペン検出部１１３の検出状況を参照し、タッチパネル用ペン１２１がタッチパネル用ペンホルダー１２０に装着されたか否かが判定される。このように、本実施形態では、タッチパネル用ペン検出部１１３が、タッチパネル用ペンが１２１存在しない状態から存在する状態に変化したか否かを判定する。
【００４３】
ステップＳ４０２における判定結果がＹＥＳであればステップＳ４０３に進み、ステップＳ４０２における判定結果がＮＯであればステップＳ４０７に進み、リターンする。ステップＳ４０３では、タッチパネル用ペン利用中フラグをＯＦＦに設定し、続いてステップＳ４０４に進む。
【００４４】
ステップＳ４０４では、ディスプレイ１１５に表示されている範囲のページデータ中に検索ボタンの記述が存在するか否かが判定される。ステップＳ４０４における判定の結果がＹＥＳであればステップＳ４０５に進み、ステップＳ４０４における判定の結果がＮＯであればステップＳ４０７に進み、リターンする。
【００４５】
ステップＳ４０５では、検索コマンドを実行し、ステップＳ４０６では、検索の結果に基づいて表示を行い、ステップＳ４０７でリターンする。
【００４６】
このように、本実施形態の入力処理装置１００の処理フローによれば、ディスプレイ１１５の表示範囲内に検索ボタンを表示させる記述がページデータに含まれると判断し、タッチパネル用ペン検出部１１３が、タッチパネル用ペン１２１が存在しない状態から存在する状態への変化を検出したときには、検索に係るコマンドを実行するようにされているので、入力処理装置１００のユーザーは体勢を入れ替えて検索ボタンを押下するなどの必要が無く、入力操作が簡便となる。
【図面の簡単な説明】
【００４７】
【図１】本発明の実施の形態に係る入力処理装置が搭載された車輌の運転席周辺の様子を示す図である。
【図２】本発明の実施の形態に係る入力処理装置のブロック構成の概略を示す図である。
【図３】本発明の実施の形態に係る入力処理装置末１００のディスプレイ１１５の表示例を示す図である。
【図４】本発明の実施の形態に係る入力処理装置の処理のためのメインルーチンのフローチャートを示す図である。
【図５】本発明の実施の形態に係る入力処理装置の処理ためのサブルーチンのフローチャートを示す図である。
【図６】本発明の実施の形態に係る入力処理装置の処理ためのサブルーチンのフローチャートを示す図である。
【図７】本発明の実施の形態に係る入力処理装置の処理ためのサブルーチンのフローチャートを示す図である。
【符号の説明】
【００４８】
１００・・・入力処理装置、１０１・・・ＣＰＵ、１０２・・・バス、１０３・・・ＲＯＭ、１０４・・・ＲＡＭ、１０６・・・入力回路、１１１・・・コンソール部タッチパネル、１１２・・・ステアリング部タッチパネル、１１３・・・タッチパネル用ペン検出部、１１４・・・表示制御回路、１１５・・・ディスプレイ、１１６・・・通信制御回路、１２０・・・タッチパネル用ペンホルダー、１２１・・・タッチパネル用ペン
【図１】
0004957910.tif 000002
【図２】
0004957910.tif 000003
【図３】
0004957910.tif 000004
【図４】
0004957910.tif 000005
【図５】
0004957910.tif 000006
【図６】
0004957910.tif 000007
【図７】
0004957910.tif 000008